(57)【要約】【課題】可能な限りフレームレートを低下させずに、ハードウェア資源を削減可能な多チャンネル対応の映像記録再生装置を提供する。【解決手段】映像記録再生装置は、予め規定されたチャネル数の映像データを、処理時間等の品質を保証し、画面サイズの異なる映像データに解像度変換する第１の解像度変換手段と、映像データを、処理時間等の品質を保証することなく、演算資源内で最善に、画面サイズの異なる映像データに解像度変換する第２の解像度変換手段とを備え、映像記録再生制御手段は、新たなチャネルの記録、再生の際、該第１の解像度変換手段の空きがない場合に、該第１の解像度変換手段を用いている所定のチャネルを、該第２の解像度変換手段による解像度変換に切り換えるよう制御する。【選択図】 図１
2007028223.tif 000002
【特許請求の範囲】
【請求項１】
ディジタル化された映像データを記録、再生表示する映像記録再生装置において、
複数チャネルの映像データの入力を受け付ける映像入力手段と、
予め規定されたチャネル数の映像データを、処理時間等の品質を保証し、画面サイズの異なる映像データに解像度変換する第１の解像度変換手段と、
映像データを処理時間等の品質を保証することなく演算資源内で最善に、画面サイズの異なる映像データに解像度変換する第２の解像度変換手段と、映像データを記録媒体に記録する映像記録手段と、該記録媒体に記録された映像データを読み出す映像再生手段と、
映像データを表示画面上の所定の位置に表示する表示手段と、
該映像入力手段又は該映像再生手段からの映像データを該第１の解像度変換手段又は該第２の解像度変換手段により解像度変換し、該映像記録手段により記録媒体に記録又は該表示手段により表示画面に表示するよう制御する映像記録再生制御手段と
を備え、
該映像記録再生制御手段は、新たなチャネルの記録、再生の際、該第１の解像度変換手段の空きがない場合に該第１の解像度変換手段を用いている所定のチャネルを、該第２の解像度変換手段による解像度変換に切り換えるように制御することを特徴とする映像記録再生装置。
【請求項２】
該映像記録再生制御手段は、該第１の解像度変換手段から該第２の解像度変換手段への切り換えを行う際、該第２の解像度変換手段における処理が最も少ない演算資源で済むと判断されるチャネルを選択することを特徴とする請求項１に記載の映像記録再生装置。
【請求項３】
該映像記録再生制御手段は、解像度変換後の画面サイズが最も小さいチャネルの中で変換前の画面サイズが最も小さいチャネルが、最も少ない演算資源で済むと判断することを特徴とする請求項２に記載の映像記録再生装置。
【請求項４】
該映像記録再生制御手段は、該第１の解像度変換手段から該第２の解像度変換手段への切り換えを行う際、該第２の解像度変換手段においてフレーム落ち等の品質低下が生じた場合に、最も悪影響が少ないと判断されるチャネルを選択することを特徴とする請求項１に記載の映像記録再生装置。
【請求項５】
該映像記録再生制御手段は、画面サイズが最も小さい入力映像の表示を行っているチャネルが、品質低下による悪影響が最も少ないと判断することを特徴とする請求項４に記載の映像記録再生装置。
【請求項６】
映像解析又は/及び外部センサ等により映像の異変を検知するアラーム検知手段を備え、
該映像記録再生制御手段は、該アラーム検知手段によるアラーム検知中のチャネルは、フレーム落ちによる悪影響が大きいと判断することを特徴とする請求項４又は５に記載の映像記録再生装置。
【請求項７】
該映像記録再生制御手段は、該第１の解像度変換手段から該第２の解像度変換手段への切り換えを行った際、第２の解像度変換手段に切り換えられたチャネルを該表示手段を介して表示することを特徴とする請求項１〜６のいずれか１項に記載の映像記録再生装置。
【請求項８】
ディジタル化された映像データを記録、再生表示する映像記録再生方法において、
複数チャネルの映像データの入力を受け付ける工程と、
予め規定されたチャネル数の映像データを、処理時間等の品質を保証し、画面サイズの異なる映像データに解像度変換する第１の解像度変換工程と、
映像データを処理時間等の品質を保証することなく演算資源内で最善に、画面サイズの異なる映像データに解像度変換する第２の解像度変換工程と、
映像データを記録媒体に記録する映像記録工程と、
該記録媒体に記録された映像データを読み出す映像再生工程と、
映像データを表示画面上の所定の位置に表示する表示工程と、
該映像データを該第１の解像度変換工程又は該第２の解像度変換工程により解像度変換し、該映像記録工程により記録媒体に記録又は表示するように制御する映像記録再生制御工程とを備え、
該映像記録再生制御工程は、新たなチャネルの記録、再生の際、該第１の解像度変換工程の空きがない場合に該第１の解像度変換工程を用いている所定のチャネルを、該第２の解像度変換工程による解像度変換に切り換えるように制御することを特徴とする映像記録再生方法。
【請求項９】
請求項８に記載の映像記録再生方法の各工程をコンピュータに実施させるためのプログラム。
【発明の詳細な説明】
【技術分野】
【０００１】
本発明は、放送局、ビデオカメラ、ネットワーク接続型カメラ等から送出されるディジタル化された映像を記録、再生表示する映像記録再生装置及び方法、並びにプログラムに関するものである。
【背景技術】
【０００２】
近年、ハードディスク、書込み可能なDVD等の記録媒体の大容量化、高速化や、MPEG、モーションJPEG等のディジタル映像の圧縮技術の進展に伴い、放送局、ビデオカメラ等から送出される映像をディジタル化して記録媒体に記録し、再生表示する映像記録再生装置が普及している。
【０００３】
更に、携帯電話や携帯情報端末の高機能化に伴い、映像記録再生装置に記録された映像を遠隔地から再生表示するニーズが高まっている。
この映像記録再生装置は、インターネットやLAN等のネットワークの広帯域化に伴い、ネットワークに接続されたカメラからの映像を、ネットワークを介して記録することにより、監視カメラシステムとして利用されつつある。
【０００４】
監視カメラシステムにおける映像記録再生装置は、複数のカメラからの映像(多チャンネル映像)を同時に記録し再生表示できる必要がある。
更に、それら映像は予め定められた一定期間記録される必要もある。
【０００５】
一般に、多チャンネルの映像を記録し再生表示するためには多くのハードウェア資源が必要になり、コストの増加を招いてしまう。
そこで、映像の記録と再生表示をより少ないハードウェア資源で行うために、以下の技術が開示されている。
【０００６】
特許文献１に記載の監視映像記録再生装置および監視映像記録再生方法では、映像をディジタル化して記録、表示する際に、動体検出手段と解像度変換手段を設け、通常は、該解像度変換手段により、入力映像ディジタルデータを低解像度に変換して記録、表示を行い、該検出手段による、動体を検出したことを示す検出信号に基づき、低解像度変換を中止して高解像度データのままで記録、表示を行い、一定期間の連続的な記録をより少ない容量の記録媒体で実現している。
【０００７】
特許文献２に記載の映像再生装置では、圧縮記録された複数チャネルのディジタル映像を再生表示する際に、チャネル毎に、圧縮データを復元するデータ復元手段を設け、該データ復元手段からのデータをアナログ信号に変換するA/D変換手段と、該アナログ信号からマルチ画面を形成するマルチ画面化手段とにより、又は、該データ復元手段によるデータからマルチ画面を形成するマルチ画面手段と、マルチ画面データをアナログ信号に変換するA/D変換手段とによりマルチ画面表示を行い、１台の表示装置によって多チャネルの表示を実現している。
【０００８】
特許文献３に記載の映像記録再生装置では、圧縮記録された複数チャネルのディジタル映像を再生表示する際に、記録媒体から読み出された映像を伸張する画像伸張手段と、該画像伸張手段から出力された信号の各フレームから一方のフィールドを抜き出すフィールド抜き出し手段と、画像サイズ縮小手段を設け、分割表示画面数に応じて表示レートを算出し、既定の表示レートより低くなる場合にはフィールド抜き出し手段による映像を画像サイズ縮小手段で縮小し画面分割表示を行い、一定のハードウェア処理能力内で複数チャネルの自然な間引き表示を実現している。
【０００９】
【特許文献１】特開２００２−１０１４１０号公報
【特許文献２】特開平８−１２５９７３号公報
【特許文献３】特開２００３−３０９８１０号公報
【発明の開示】
【発明が解決しようとする課題】
【００１０】
しかしながら、特許文献１に記載の監視映像記録再生装置および監視映像記録再生方法では、記録映像サイズと表示サイズが同じになるため、異なるサイズで表示するためには新たな解像度変換手段を映像記憶手段とD/A変換器の間に追加する必要があり、多チャンネル化した場合にはチャネル数の２倍の解像度変換手段が必要となる。
【００１１】
また、特許文献２に記載の映像再生装置では、マルチ画面化手段がアナログ式の場合にはチャネル数分のD/A変換器が必要となり、また、マルチ画面化手段がディジタル式の場合には、チャネル数分の解像度変換能力を持つマルチ画面化手段が必要となり、又、解像度変換して記録するためには、チャネル数分の解像度変換器をディジタル圧縮器とデータ多重化部との間に設けるか、チャネル数分の解像度変換能力を持つデータ多重化部が必要となる。
【００１２】
また、特許文献３に記載の映像記録再生装置では、一定のハードウェア処理能力内で複数チャネルの表示が可能であるが、チャネル数の増加に伴い、全てのチャネル表示のフレームレートが低下してしまい、重要なシーンを見逃してしまう恐れがある。
【００１３】
そこで、本発明にかかる目的は、可能な限りフレームレートを低下させずに、ハードウェア資源を削減可能な多チャンネル対応の映像記録再生装置及び方法を提供することにある。
【課題を解決するための手段】
【００１４】
本発明の映像記録再生装置は、ディジタル化された映像データを記録、再生表示する映像記録再生装置において、数チャネルの映像データの入力を受け付ける映像入力手段と、予め規定されたチャネル数の映像データを、処理時間等の品質を保証し、画面サイズの異なる映像データに解像度変換する第１の解像度変換手段と、映像データを処理時間等の品質を保証することなく演算資源内で最善に、画面サイズの異なる映像データに解像度変換する第２の解像度変換手段と、映像データを記録媒体に記録する映像記録手段と、該記録媒体に記録された映像データを読み出す映像再生手段と、映像データを表示画面上の所定の位置に表示する表示手段と、該映像入力手段又は該映像再生手段からの映像データを該第１の解像度変換手段又は該第２の解像度変換手段により解像度変換し、該映像記録手段により記録媒体に記録又は該表示手段により表示画面に表示するよう制御する映像記録再生制御手段とを備え、該映像記録再生制御手段は、新たなチャネルの記録、再生の際、該第１の解像度変換手段の空きがない場合に該第１の解像度変換手段を用いている所定のチャネルを、該第２の解像度変換手段による解像度変換に切り換えるように制御する。
【００１５】
本発明の映像記録再生方法は、ディジタル化された映像データを記録、再生表示する映像記録再生方法において、数チャネルの映像データの入力を受け付ける工程と、予め規定されたチャネル数の映像データを、処理時間等の品質を保証し、画面サイズの異なる映像データに解像度変換する第１の解像度変換工程と、映像データを処理時間等の品質を保証することなく演算資源内で最善に、画面サイズの異なる映像データに解像度変換する第２の解像度変換工程と、映像データを記録媒体に記録する映像記録工程と、該記録媒体に記録された映像データを読み出す映像再生工程と、映像データを表示画面上の所定の位置に表示する表示工程と、該映像データを該第１の解像度変換工程又は該第２の解像度変換工程により解像度変換し、該映像記録工程により記録媒体に記録又は表示するように制御する映像記録再生制御工程とを備え、該映像記録再生制御工程は、新たなチャネルの記録、再生の際、該第１の解像度変換工程の空きがない場合に該第１の解像度変換工程を用いている所定のチャネルを、該第２の解像度変換工程による解像度変換に切り換えるように制御する。
【発明の効果】
【００１６】
本発明による映像記録再生装置によれば、特定のチャネルはフレームレートを落とすことなく処理され、それ以外のチャネルも演算資源の範囲内で最善に処理されるため、可能な限りフレームレートを落とすことなくハードウェア資源を削減し多チャンネル対応が可能となる効果がある。
【００１７】
また、演算資源内で解像度変換処理を行うチャネルの演算量が少なくなるため、同一フレームレートの処理に必要な演算資源を削減可能となる効果がある。
【００１８】
また、解像度変換前後の画面サイズで演算量を見積もるため、少ない処理量で切り換え対象チャネルの選択が可能となる効果がある。
【００１９】
また、品質低下による悪影響の少ないチャネルから演算資源内での解像度変換処理に切り換えるため、演算資源を超えフレームレートが低下した場合でも、悪影響を低減可能となる効果がある。
【００２０】
また、表示画面の小さいチャネルから演算資源内での解像度変換処理に切り換えるため、演算資源を超えフレームレートが低下した場合でも、視覚的影響が少ない表示画面の小さいチャネルのフレームレートが低下し、悪影響を低減可能となる効果がある。
【００２１】
また、アラーム検出中のチャネルは品質保証された解像度変換処理が行われ、フレームレートが低下しないため、重要なシーンのフレーム落ちが無くなる効果がある。
【００２２】
また、第２の解像度変換手段に切り換えられたチャネルを該表示手段を介して表示されるため、ユーザが切り換えられた旨を知ることが可能となる効果がある。
【発明を実施するための最良の形態】
【００２３】
本発明の実施形態について図１〜図９−２を用いて説明する。
図1は本発明の実施形態を示す映像記録再生装置のブロック図及びシステム構成図である。
図1において、110はLAN (Local Area Network)、インターネット等のネットワーク、120-1〜120-Nは撮影した映像をネットワーク110を介して配信するネットワークカメラ、130-1〜130-Mはネットワーク110に接続可能な携帯電話、携帯情報端末等のリモート端末、140はテレビ、ディスプレイ等の表示装置、150は赤外線リモートコントローラ、近距離無線伝送機能を備える携帯情報端末等の操作入力装置、160はハードディスクドライブ、書込み可能なDVD等の映像データ記録媒体、100はネットワークカメラ120-1〜120-Nから配信され映像を映像データ記録媒体160に記録し、表示装置140に表示、また操作入力装置150やリモート端末130-1〜130-Nからの操作に応じて、映像データ記録媒体160に記録された映像を表示装置140またはリモート端末130-1〜130-Nに再生表示する映像記録再生装置である。
【００２４】
映像記録再生装置100は、ネットワークインタフェース、ネットワークプロトコル等からなりネットワークカメラ120-1〜120-Nからの映像データの受信及びリモート端末130-1〜130-Mへの映像データの配信を行う映像入出力部102、可変長符号デコーダ、逆離散コサイン変換演算器等からなり、Motion-JPEGやMPEG2/4等の映像フォーマットでエンコードされた映像データをRGBビットマップやYUVビットマップ等の映像フォーマットにデコードするデコード部で特に処理する映像データのチャネル数や演算資源等を予め規定することによりデコード時間等の品質を保証する品質保証型デコード部103、リサンプル処理、フィルタ処理等からなり映像データの拡大、縮小を行う解像度変換部で特に処理する映像データのチャネル数や演算資源等を予め規定することにより変換時間等の品質を保証する品質保証型解像度変換部104、デコード時に解像度変換を同時に行う解像度変換でコード部で特にチャネル数等を規定することなく処理時点での演算処理資源の範囲内で最善の処理を行うベストエフォート型解像度変換デコード部109、RGBビットマップやYUVビットマップ等の映像フォーマットの映像データをMotion-JPEGやMPEG2/4等の映像フォーマットにエンコードするエンコード部108、TV/ディスプレイ出力インタフェース、フレームバッファ等からなりRGBビットマップやYUVビットマップ等の映像データを表示装置140に表示する表示部105、赤外線インタフェース、近距離無線インタフェース等からなり映像の記録、再生表示の操作入力を受け付ける操作入力部106、記録媒体インタフェース、ファイルシステム等からなり映像データを映像データ記録媒体160に記録し、再生読み出しする映像記録再生部107、CPU、メモリ、プログラム等からなり、操作入力部106または映像入出力部102を介したリモート端末130-1〜130-Mからの操作に基づき、品質保証型デコード部103、品質保証型解像度変換部104、ベストエフォート型解像度変換デコード部109、エンコード部108を適宜介して、映像入出力部102から受信された映像データを映像記録再生部107により記録または表示部105により表示、映像記録再生部107から再生された映像データを表示部105により表示または映像入出力部102によりリモート端末130-1〜130-Mに配信する制御を行う映像記録再生制御部101から構成される。
【００２５】
ここで、映像記録再生制御部101は、品質保証型解像度変換部104の空きがないと判断した場合、品質保証型解像度変換部104を使用している所定のチャネルをベストエフォート型解像度変換デコード部109に切り換えるよう制御を行う。
【００２６】
図2は本発明の実施形態を示す映像記録再生装置の表示画面のレイアウト図である。
図2において、200は分割表示画面であり、1280 x 960ドットの表示画面が、640 x 480ドットの画面を2画面、320 x 240ドットの画面を4画面、160 x 120ドットの画面を16画面の合計22画面に分割されて表示される一例を示している。
【００２７】
この分割表示画面200は、表示部105において、分割画面の座標に対応するフレームバッファのアドレスに適切に解像度変換された映像データが書き込まれることにより実現される。
【００２８】
図３−１〜図３−３は本発明の実施形態を示す映像記録再生装置の管理情報の概念図である。
図３−１〜図３−３において、301はシステム内のネットワークカメラ120-1~120-Nに一意に割り振られるカメラID、そのカメラのIPアドレス等からなるカメラ管理情報、302はシステム内のリモート端末130-1〜130-Nに一意に割り振られるリモート端末ID、そのリモート端末のIPアドレス、表示画面サイズ等からなるリモート端末管理情報、303は分割表示画面200において分割された個々の表示画面に一意に割り振られる表示画面ID、その表示画面の表示画面座標、表示画面サイズ等からなる表示画面管理情報、304は品質保証型デコード部103が処理可能なデコードチャネル毎に一意に割り振られるデコーダID、そのデコードチャネルに設定されたデコーダ設定等からなるデコーダ管理情報、305は品質保証型解像度変換部104及びベストエフォート型解像度変換デコード部109が処理可能な解像度変換チャネル毎に一意に割り振られる解像度変換ID、その解像度変換チャネルが品質保証型かベストエフォート型かを示す型、その解像度変換チャネルに設定された変換サイズからなる解像度変換器管理情報、306はエンコード部108が処理可能なエンコードチャネル毎に一意に割り振られるエンコーダID、そのエンコードチャネルに設定されたエンコーダ設定からなるエンコーダ管理情報、307は映像データ記録媒体160に記録された記録映像データに一意に割り振られる記録映像ID、その記録映像のカメラID、記録日時、記録時間からなる記録映像管理情報、308は映像記録再生制御部101が記録、再生表示処理している映像チャネルに対して一意に割り振られるチャネルID、その映像チャネルのチャネル種別、入力種別、入力ID、デコーダID、解像度変換ID、エンコーダID、出力種別、出力IDからなる映像チャネル管理情報である。
【００２９】
なお、映像チャネル管理情報308において、チャネル種別の「ライブ映像表示」とはネットワークカメラ120-1〜120-Nから受信した映像データを表示装置140に表示すること、「リモートライブ表示」とはネットワークカメラ120-1〜120-Nから受信した映像データをリモート端末130-1〜130-Mで表示すること、「リモート再生」とは記録映像をリモート端末130-1〜130-Mで再生表示することである。
ここで、301〜308の各管理情報は、映像記録再生制御部101のメモリ等に記憶され、映像記録再生制御部101は各管理情報を適宜読み出して映像の記録、再生表示制御を行う。
【００３０】
図4は本発明の実施形態を示す映像記録再生装置のメイン処理のフロー図である。
映像記録再生装置のメイン処理では、図5に示す映像記録サービス処理を起動し(S401)、図８−１〜図８−３に示す映像再生表示サービス処理を起動し(S402)、図９−１〜図９−２に示す映像リモート再生表示サービス処理を起動し(S403)、操作入力部106等からの停止操作を待つ(S404、No)。停止操作があれば(S404、Yes)、映像記録サービス処理を停止し(S441)、映像再生表示サービス処理を停止し(S442)、映像リモート再生表示サービス処理を停止し(S443)、処理を終了する。
【００３１】
図5は本発明の実施形態を示す映像記録再生装置の映像記録サービス処理のフロー図である。
映像記録サービス処理では、カメラ管理情報301からカメラIDを順次読出し(S501)、カメラIDが終了していなければ(S502、No)、カメラIDを映像チャネル管理情報308の入力ID、入力種別を「カメラ」に設定し(S521)、記録映像管理情報307からカメラIDに対応する記録映像IDを読出して映像チャネル管理情報308の出力ID、出力種別を「記録映像」に設定し(S522)、入力映像と出力(記録)映像のサイズ、フォーマット等が同一であれば(S523、Yes)、図7に示す映像チャネル処理を起動し(S527)、S501から繰り返す。入力映像と出力映像が異なる場合(S523、No)、空きの品質保証型解像度変換器があれば(S524、Yes)、解像度変換器管理情報305から空きの品質保証型解像度変換IDを、デコーダ管理情報304から空きのデコーダIDを取得して映像チャネル管理情報308の解像度変換ID、デコーダIDに設定し(S525)、エンコーダ管理情報306から空きのエンコーダIDを取得し映像チャネル管理情報308のエンコーダIDに設定し(S526)、S527からの処理を継続する。空きの品質保証型解像度変換器がない場合(S524、No)、図6に示す解像度変換器切換処理を行い(S541)、切換処理が成功すれば(S542、Yes)、S525からの処理を継続する。切換処理が失敗した場合(S542、No)、解像度変換器管理情報305からベストエフォート型解像度変換IDを取得して映像チャネル管理情報308の解像度変換IDに設定し(S543)、S526からの処理を継続する。
【００３２】
なお、カメラIDが終了した場合(S502、Yes)は、メイン処理からの映像記録サービス処理停止を待ち(S503、No)、停止の指示があれば(S503、Yes)、起動した全ての映像チャネル処理を停止し(S531)、処理を終了する。
【００３３】
図6は本発明の実施形態を示す映像記録再生装置の解像度変換器切換処理のフロー図である。
解像度変換器切換処理では、映像チャネル管理情報308からライブ映像表示チャネル情報を順次読出し(S601)、ライブ映像表示チャネルが終了でなく(S602、No)、そのチャネルが品質保証型解像度変換器を使用しており(S603、Yes)、図示しない画像解析処理または外部センサ入力等によるアラーム検知中でなく(S631、No)、変換サイズが読み出したライブ映像表示チャネルの中で最小であり且つその中で入力サイズが最小であれば(S632、Yes)、そのチャネルを最小映像表示チャネルとして記憶し(S633)、S601から処理を繰り返す。解像度変換器が品質保証型でない場合(S603、No)、アラーム検知中の場合(S631、Yes)、変換サイズが最小でないまたは入力サイズが最小でない場合(S632、No)もS601から繰り返す。ライブ映像表示チャネルが終了した場合(S602、Yes)、最小映像表示チャネルが存在し且つ新規チャネルよりサイズが小さい場合(S621、Yes)、対応する映像チャネル処理を一時停止し(S622)、解像度変換器をベストエフォート型に切り換え(S623)、対応するチャネルが切り換えられた旨を表示部105を介して表示し(S624)、対応する映像チャネル処理を再開し(S625)、解像度変換器とデコーダを開放し(S626)、処理を終了する。最小映像表示チャネルが存在しないかまたは新規チャネルよりサイズが大きい場合(S621、No)、解像度変換器の切り換えが失敗した旨の設定を行い(S641)、処理を終了する。
【００３４】
図7は本発明の実施形態を示す映像記録再生装置の映像チャネル処理のフロー図である。
映像チャネル処理では、映像チャネル管理情報308における入力ID、出力IDに対応する映像記録再生部107、映像入出力部102、表示部105等の入出力先を開き(S701)、映像チャネル処理が停止されず(S702、No)、映像チャネル処理の一時停止がされない場合(S703、No)、入力IDに対応する映像データを読出し(S704)、デコーダIDが設定されている場合は(S705、Yes)、対応するデコーダで映像データをデコードし(S751)、解像度変換IDが設定されている場合は(S706、Yes)、対応する解像度変換器で映像データを解像度変換し(S761)、エンコーダIDが設定されている場合は(S707、Yes)、対応するエンコーダで映像データをエンコードし(S771)、出力IDに対応する出力先に映像データを書込み(S708)、S702から繰り返す。映像チャネル処理が停止された場合(S702、Yes)、入出力先を閉じ、デコーダID、解像度変換ID、エンコーダIDのそれぞれに対応するデコーダ、解像度変換器、エンコーダを開放し(S721)、処理を終了する。映像チャネル処理が一時停止された場合(S703、Yes)、映像チャネル処理再開の指示を待ち(S731、No)、再開の指示があれば(S731、Yes)、S704から処理を継続する。
【００３５】
図８−１〜図８−３は本発明の実施形態を示す映像記録再生装置の映像再生表示サービス処理のフロー図である。
映像再生表示サービス処理では、表示画面管理情報307から表示画面IDを順次読出し(S801)、表示画面IDが終了していなければ(S802、No)、図示しない管理情報により対応付けされた表示画面IDに対応するカメラIDを映像チャネル管理情報308の入力IDに、入力種別を「カメラ」に設定し(S821)、表示画面IDを映像チャネル管理情報308の出力IDに、出力種別を「表示画面」に設定し(S822)、空きの品質保証型解像度変換器があれば(S823、Yes)、解像度変換器管理情報305から空きの品質保証型の解像度変換IDと、デコーダ管理情報304からデコーダIDを取得して映像チャネル管理情報308の解像度変換IDとデコーダIDに設定し(S824)、図7に示す映像チャネル処理を起動し(S825)、S801から繰り返す。空きの品質保証型解像度変換器がない場合(S823、No)、図6に示す解像度変換器切換処理を実行し(S871)、切換処理が成功すれば(S872、Yes)、S824からの処理を継続する。切換処理が失敗した場合(S872、No)、解像度変換器管理情報305からベストエフォート型解像度変換IDを取得して映像チャネル管理情報308の解像度変換IDに設定し(S873)、S825からの処理を継続する。
【００３６】
表示画面IDが終了し(S802、Yes)、映像再生表示サービス処理停止が指示されると(S803、Yes)、起動した全ての映像チャネル処理を停止し(S831)、終了する。映像再生表示サービス処理停止が指示されない場合(S803、No)、記録映像再生操作があれば(S804、Yes)、対応する映像チャネル処理を一時停止し(S841)、記録映像管理情報307からカメラIDに対応する記録映像IDを読出し映像チャネル管理情報308の入力IDに、入力種別を「記録映像」に設定し(S842)、対応する映像チャネル処理を再開し(S843)、ライブ映像表示操作があれば(S805、Yes)、対応する映像チャネル処理を一時停止し(S851)、記録映像管理情報307から記録映像IDに対応するカメラIDを読出し映像チャネル管理情報308の入力IDに、入力種別を「カメラ」に設定し(S852)、対応する映像チャネル処理を再開し(S853)、表示画面変更がなければ(S806、No)、S803から繰り返す。表示画面変更があれば(S806、Yes)、対応する映像チャネル処理を一時停止し(S861)、指定されたカメラIDを読出し映像チャネル管理情報308の入力IDに、入力種別を「カメラ」に設定し(S862)、映像チャネル管理情報308の解像度変換IDと解像度変換器管理情報305とから品質保証型解像度変換器を使用中であれば(S863、Yes)、対応する映像チャネル処理を再開し(S864)、S803から繰り返す。
【００３７】
品質保証型解像度変換器を使用中でない場合(S863、No)、空きの品質保証型解像度変換器があれば(S881、Yes)、解像度変換器管理情報305から空きの品質保証型の解像度変換IDと、デコーダ管理情報304からデコーダIDを取得して映像チャネル管理情報308の解像度変換IDとデコーダIDに設定し(S882)、対応する映像チャネル処理を再開し(S864)、S803から繰り返す。空きの品質保証型解像度変換器がない場合(S881、No)、図６に示す解像度変換器切換処理を実行し(S891)、切換処理が成功すれば(S892、Yes)、S882からの処理を継続する。切換処理が失敗した場合(S892、No)、解像度変換器管理情報305からベストエフォート型解像度変換IDを取得して映像チャネル管理情報308の解像度変換IDに設定し(S893)、S864からの処理を継続する。
【００３８】
図９−１〜図９−２は本発明の実施形態を示す映像記録再生装置の映像リモート再生表示サービス処理のフロー図である。
映像リモート再生表示サービス処理では、映像リモート再生表示サービス処理の停止が指示されず(S901、No)、ライブ映像リモート表示要求がされず(S902、No)、記録映像リモート再生要求がされず(S903、No)、映像リモート再生表示処理停止がされない場合は(S904、No)、S901から繰り返す。映像リモート再生表示サービス処理の停止が指示された場合(S901、Yes)、起動した全ての映像チャネルの処理を停止し(S911)、終了する。映像リモート再生表示処理停止がされた場合は(S904、Yes)、指定された映像チャネル処理を停止し(S941)、S901から繰り返す。
【００３９】
ライブ映像リモート表示要求がされた場合(S902、Yes)、指定カメラIDを映像チャネル管理情報308の入力IDに、入力種別を「カメラ」に設定し(S921)、リモート端末IDを映像チャネル管理情報308の出力IDに、入力種別を「リモート端末」に設定し(S922)、入力映像と出力映像のサイズ、フォーマット等が同一であれば(S923、Yes)、図７に示す映像チャネル処理を起動し(S927)、S901から繰り返す。入力映像と出力映像が異なる場合(S923、No)、空きの品質保証型解像度変換器があれば(S924、Yes)、解像度変換器管理情報305から空きの品質保証型解像度変換IDを、デコーダ管理情報304から空きのデコーダIDを取得して映像チャネル管理情報308の解像度変換ID、デコーダIDに設定し(S925)、エンコーダ管理情報306から空きのエンコーダIDを取得し映像チャネル管理情報308のエンコーダIDに設定し(S926)、S927からの処理を継続する。空きの品質保証型解像度変換器がない場合(S924、No)、図６に示す解像度変換器切換処理を行い(S951)、切換処理が成功すれば(S952、Yes)、S925からの処理を継続する。切換処理が失敗した場合(S952、No)、解像度変換器管理情報305からベストエフォート型解像度変換IDを取得して映像チャネル管理情報308の解像度変換IDに設定し(S953)、S926からの処理を継続する。
【００４０】
記録映像リモート再生要求がされた場合(S903、Yes)、記録映像管理情報307より指定カメラIDに対応する記録映像IDを読出し映像チャネル管理情報308の入力IDに、入力種別を「記録映像」に設定し(S931)、S922より処理を継続する。
【００４１】
なお、図４〜図７，図８−１〜図８−３，図９−１〜図９−２に示した各ステップについてのプログラムコードは、コンピュータのＲＡＭやＲＯＭなどに記憶されたプログラムが動作することによって実現できる。このプログラム及び当該プログラムを記録したコンピュータ読み取り可能な記憶媒体は本発明の実施形態に含まれる。
【００４２】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フロッピー（登録商標）ディスク、ハードディスク、磁気テープ、光磁気ディスク、不揮発性メモリカード等を用いることができる。他方、上記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００４３】
また、コンピュータが供給されたプログラムを実行することにより上述の実施形態の機能が実現されるだけでなく、そのプログラムがコンピュータにおいて稼働しているＯＳ（オペレーティングシステム）あるいは他のアプリケーションソフト等と共同して上述の実施形態の機能が実現される場合や、供給されたプログラムの処理の全てあるいは一部がコンピュータの機能拡張ボードや機能拡張ユニットにより行われて上述の実施形態の機能が実現される場合も、かかるプログラムは本発明の実施形態に含まれる。
【００４４】
例えば、図１０は、パーソナルユーザ端末装置の内部構成を示す模式図である。この図１０において、１２００はコンピュータＰＣである。ＰＣ１２００は、ＣＰＵ１２０１を備え、ＲＯＭ１２０２またはハードディスク（ＨＤ）１２１１に記憶された、あるいはフロッピー（登録商標）ディスクドライブ（ＦＤ）１２１２より供給されるデバイス制御ソフトウェアを実行し、システムバス１２０４に接続される各デバイスを総括的に制御する。
【００４５】
ＰＣ１２００のＣＰＵ１２０１、ＲＯＭ１２０２またはハードディスク（ＨＤ）１２１１に記憶されたプログラムにより、本実施形態の図４〜図７，図８−１〜図８−３，図９−１〜図９−２に示した各ステップの手順等が実現される。
【００４６】
１２０３はＲＡＭであり、ＣＰＵ１２０１の主メモリ、ワークエリア等として機能する。１２０５はキーボードコントローラ（ＫＢＣ）で、キーボード（ＫＢ）１２０９や不図示のデバイス等からの指示入力を制御する。
【００４７】
１２０６はＣＲＴコントローラ（ＣＲＴＣ）であり、ＣＲＴディスプレイ（ＣＲＴ）１２１０の表示を制御する。１２０７はディスクコントローラ（ＤＫＣ）で、ブートプログラム（起動プログラム：パソコンのハードやソフトの実行（動作）を開始するプログラム）、複数のアプリケーション、編集ファイル、ユーザファイルそしてネットワーク管理プログラム等を記憶するハードディスク（ＨＤ）１２１１、及びフロッピー（登録商標）ディスク（ＦＤ）１２１２とのアクセスを制御する。
【００４８】
１２０８は、ネットワークインタフエースカード（ＮＩＣ）であり、ＬＡＮ１２２０を介して、ネットワークプリンタ、他のネットワーク機器、あるいは他のＰＣと双方向のデータのやり取りを行う。
【図面の簡単な説明】
【００４９】
【図１】本発明の実施形態を示す映像記録再生装置のブロック図及びシステム構成図である。
【図２】本発明の実施形態を示す映像記録再生装置の表示画面のレイアウト図である。
【図３−１】本発明の実施形態を示す映像記録再生装置の管理情報の概念図である。
【図３−２】本発明の実施形態を示す映像記録再生装置の管理情報の概念図である。
【図３−３】本発明の実施形態を示す映像記録再生装置の管理情報の概念図である。
【図４】本発明の実施形態を示す映像記録再生装置のメイン処理のフロー図である。
【図５】本発明の実施形態を示す映像記録再生装置の映像記録サービス処理のフロー図である。
【図６】本発明の実施形態を示す映像記録再生装置の解像度変換器切換処理のフロー図である。
【図７】本発明の実施形態を示す映像記録再生装置の映像チャネル処理のフロー図である。
【図８−１】本発明の実施形態を示す映像記録再生装置の映像再生表示サービス処理のフロー図である。
【図８−２】本発明の実施形態を示す映像記録再生装置の映像再生表示サービス処理のフロー図である。
【図８−３】本発明の実施形態を示す映像記録再生装置の映像再生表示サービス処理のフロー図である。
【図９−１】本発明の実施形態を示す映像記録再生装置の映像リモート再生表示サービス処理のフロー図である。
【図９−２】本発明の実施形態を示す映像記録再生装置の映像リモート再生表示サービス処理のフロー図である。
【図１０】パーソナルユーザ端末装置の内部構成を示す模式図である。
【符号の説明】
【００５０】
100  映像記録再生装置
101  映像記録再生制御部
102  映像入出力部
103  品質保証型デコード部
104  品質保証型解像度変換部
105  表示部
106  操作入力部
107  映像記録再生部
108  エンコード部
109  ベストエフォート型解像度変換デコード部
200  分割表示画面
301  カメラ管理情報
302  リモート端末管理情報
303  表示画面管理情報
304  デコーダ管理情報
305  解像度変換器管理情報
306  エンコーダ管理情報
307  記録映像管理情報
308  映像チャネル管理情報
【図１】
2007028223.tif 000003
【図２】
2007028223.tif 000004
【図３−１】
2007028223.tif 000005
【図３−２】
2007028223.tif 000006
【図３−３】
2007028223.tif 000007
【図４】
2007028223.tif 000008
【図５】
2007028223.tif 000009
【図６】
2007028223.tif 000010
【図７】
2007028223.tif 000011
【図８−１】
2007028223.tif 000012
【図８−２】
2007028223.tif 000013
【図８−３】
2007028223.tif 000014
【図９−１】
2007028223.tif 000015
【図９−２】
2007028223.tif 000016
【図１０】
2007028223.tif 000017